(57)【要約】【目的】停電により燃焼停止している間に低下した室温を、停電復旧後の再運転で停電発生前の室温に近い状態まで上昇させた後、停電発生前の運転状態で再運転を行う燃焼制御装置を提供する。【構成】自動運転と手動運転とを行い、停電発生時に停電発生前の各種情報を不揮発性記憶手段２０に記憶させて運転を停止し、停電復旧時不揮発性記憶手段２０に記憶させた各種情報により再運転を行う燃焼制御装置に於いて、停電復旧後手動運転で再運転を行う時、低下した室温を補正する補正運転を行った後停電前の設定火力で手動運転を行うので、停電復旧後の再運転を手動運転で開始する時の室温が、停電発生前の室温より低くて寒く感じることがなく、使い勝手がよいものである。【選択図】　　　図３
2004020024.tif 000002
【特許請求の範囲】
【請求項１】
設定温度を設定する室温設定スイッチと、設定火力を設定する設定火力切替スイッチと、前記室温設定スイッチを操作して設定した設定温度に室温がなるように燃焼部の運転を行う自動運転と設定火力切替スイッチを操作して設定した設定火力一定で燃焼部の運転を行う手動運転とを切り替える自動・手動切替スイッチとを備えた操作部と、燃料を燃焼させる燃焼部と、停電の発生及び復旧を判定する停電判別部と、運転状態や室温等各種情報を記憶する不揮発性記憶手段と、前記自動運転と手動運転との制御を行い、前記停電判別部が停電発生と判定した時、停電発生前の運転状態や室温等各種情報を不揮発性記憶手段に記憶させて運転を停止し、前記停電判別部が停電復旧と判定した時、不揮発性記憶手段に記憶させた各種情報により再運転を行う制御部とを備えた燃焼制御装置に於いて、前記制御部は、停電復旧後の再運転を所定の火力で着火動作してそのまま所定時間運転した後、不揮発性記憶手段に記憶させた各種情報により停電前の運転が自動運転だった時、停電発生前の設定温度を設定して自動運転で停電復旧後の再運転を行い、停電前の運転が手動運転だった時、停電により低下した室温を補正する補正運転を行った後に、停電発生前の設定火力を設定して手動運転で停電復旧後の再運転を行うことを特徴とする燃焼制御装置。
【請求項２】
室温を検知する室温検知手段を備え、前記制御部は手動運転で停電復旧後の再運転を行う時、不揮発性記憶手段に記憶させた停電発生前の室温と再運転開始時の室温とを比較して、その温度差を大・中・小のいずれかに判断し、その温度差を小と判断した時所定時間を短時間に設定し、温度差を中と判断した時所定時間を中時間に設定し、温度差を大と判断した時所定時間を長時間に設定すると共に、停電により低下した室温を補正する補正運転を前記所定時間行った後に、設定火力を停電発生前の設定火力に変更して手動運転を開始することを特徴とする請求項１記載の燃焼制御装置。
【請求項３】
室温を検知する室温検知手段を備え、前記制御部は手動運転で停電復旧後の再運転を行う時、不揮発性記憶手段に記憶させた停電発生前の室温と再運転開始時の室温とを比較して、再運転開始時の室温が停電発生前の室温以上の時、設定火力を停電発生前の設定火力にして手動運転を行い、再運転開始時の室温が停電発生前の室温より低い時、停電発生前の室温を設定温度に設定して自動運転で停電により低下した室温を補正する補正運転を行い、前記補正運転で室温が停電発生前の室温に達した時、自動運転の補正運転から設定火力を停電発生前の設定火力にした手動運転を行うことを特徴とする請求項１記載の燃焼制御装置。
【請求項４】
停電が発生してから復旧するまでの時間を計時するタイマ手段を備え、前記制御部はタイマ手段の計時時間により停電時間を短時間・中時間・長時間のいずれかに判断し、停電復旧後の再運転を手動運転で行う時、停電前の手動運転の設定火力と前記判断した停電時間とにより所定時間を設定すると共に、停電により低下した室温を補正する補正運転を前記所定時間行った後に、設定火力を停電発生前の設定火力に設定した手動運転を開始することを特徴とする請求項１記載の燃焼制御装置。
【請求項５】
前記制御部は、停電復旧後の再運転を最小の火力で着火動作した後に中間の火力に変更してそのまま所定時間運転した後、不揮発性記憶手段に記憶させた各種情報により停電復旧後の再運転を行うことを特徴とする請求項１記載の燃焼制御装置。
【発明の詳細な説明】
【０００１】
【発明の属する技術分野】
本発明は、灯油やガスを燃料とした暖房機の燃焼部を制御する燃焼制御装置に関するものである。
【０００２】
【従来の技術】
従来よりこの種のものに於いては、暖房機の燃焼部が燃焼している時に停電が発生すると燃焼が停止し、又それまでの燃焼条件や設定情報が全て消去されて初期状態に戻ってしまうため、停電復帰後に再度設定温度や燃焼火力等を設定し直した上で、暖房機の運転スイッチを再度操作する必要があった。
【０００３】
そこで、例えば特開平１１−３４４２２２号のように、通電時に、暖房動作を行うのに必要な制御プログラムを記憶した制御プログラム記憶手段や、この制御プログラムの動作処理中に作業用領域として記憶される作業用記憶手段に記憶される設定温度、タイマ残時間、エラー情報等各情報を、不揮発性記憶手段に記憶転送し、停電発生後、停電が復旧したら停電発生前に不揮発性記憶手段に記憶させていた情報を、前記作業用記憶手段に転送し、その転送された情報に基づいて暖房動作を開始するものであった。
【０００４】
【発明が解決しようとする課題】
ところで、この従来のものでは、燃焼部を有する暖房機で、暖房能力や火力の設定を手動にて設定する機能を有するものでは、例えば火力を最大火力に手動で設定した状態で運転している時に停電が復旧して自動で再運転が行われる場合、停電前に火力を最大火力に手動で設定した状態だったので、その停電前の情報に基づいて停電復旧後、最大火力で再運転が自動で行われるが、停電していた時間が長いと最大火力で運転していたのを忘れてしまい、停電している間に暖房機正面の間近な位置に何か物を置いたり人が居たりすると、停電が復旧して最大火力で自動で再運転が行われた時、暖房機正面の間近な位置に置いた物が高温になったり、間近な位置にいる人に不快感を与えたりする欠点があった。
【０００５】
又室温が適温な状態の時に、使用者が手動設定で火力を最小火力に設定して手動運転していた時に停電して運転が停止し、しばらく時間が経過してから停電が復旧した場合、停電前に火力を最小火力に手動で設定した状態だったので、その停電前の情報に基づいて停電復旧後、最小火力で再運転が自動で行われるが、停電していた間に室温が低下して寒くなっていても、最小火力で再運転が行われるため、使用者はその寒さに合わせて火力を最小火力から中火力や最大火力に操作し直さなくてはならない欠点があった。
【０００６】
本発明は上記課題を解決し、停電して運転が停止した後、停電が復旧して再運転を行う時、安全性の高い再運転を行うと共に、使用者が火力の再設定せずとも停電前の快適な状態になるように再運転を行う燃焼制御装置を提供するものである。
【０００７】
【課題を解決するための手段】
この発明はこの点に着目し上記課題を解決するため、請求項１では特にその構成を、設定温度を設定する室温設定スイッチと、設定火力を設定する設定火力切替スイッチと、前記室温設定スイッチを操作して設定した設定温度に室温がなるように燃焼部の運転を行う自動運転と設定火力切替スイッチを操作して設定した設定火力一定で燃焼部の運転を行う手動運転とを切り替える自動・手動切替スイッチとを備えた操作部と、燃料を燃焼させる燃焼部と、停電の発生及び復旧を判定する停電判別部と、運転状態や室温等各種情報を記憶する不揮発性記憶手段と、前記自動運転と手動運転との制御を行い、前記停電判別部が停電発生と判定した時、停電発生前の運転状態や室温等各種情報を不揮発性記憶手段に記憶させて運転を停止し、前記停電判別部が停電復旧と判定した時、不揮発性記憶手段に記憶させた各種情報により再運転を行う制御部とを備えた燃焼制御装置に於いて、前記制御部は、停電復旧後の再運転を所定の火力で着火動作してそのまま所定時間運転した後、不揮発性記憶手段に記憶させた各種情報により停電前の運転が自動運転だった時、停電発生前の設定温度を設定して自動運転で停電復旧後の再運転を行い、停電前の運転が手動運転だった時、停電により低下した室温を補正する補正運転を行った後に、停電発生前の設定火力を設定して手動運転で停電復旧後の再運転を行うものである。
【０００８】
又本発明の請求項２に係る燃焼制御装置では、特にその構成を、請求項１に於いて、室温を検知する室温検知手段を備え、前記制御部は手動運転で停電復旧後の再運転を行う時、不揮発性記憶手段に記憶させた停電発生前の室温と再運転開始時の室温とを比較して、その温度差を大・中・小のいずれかに判断し、その温度差を小と判断した時所定時間を短時間に設定し、温度差を中と判断した時所定時間を中時間に設定し、温度差を大と判断した時所定時間を長時間に設定すると共に、停電により低下した室温を補正する補正運転を前記所定時間行った後に、設定火力を電発生前の設定火力に変更して手動運転を開始するものである。
【０００９】
又本発明の請求項３に係る燃焼制御装置では、特にその構成を、請求項１に於いて、室温を検知する室温検知手段を備え、前記制御部は手動運転で停電復旧後の再運転を行う時、不揮発性記憶手段に記憶させた停電発生前の室温と再運転開始時の室温とを比較して、再運転開始時の室温が停電発生前の室温以上の時、設定火力を停電発生前の設定火力にして手動運転を行い、再運転開始時の室温が停電発生前の室温より低い時、停電発生前の室温を設定温度に設定して自動運転で停電により低下した室温を補正する補正運転を行い、前記補正運転で室温が停電発生前の室温に達した時、自動運転の補正運転から設定火力を停電発生前の設定火力にした手動運転を行うものである。
【００１０】
又本発明の請求項４に係る燃焼制御装置では、特にその構成を、請求項１に於いて、停電が発生してから復旧するまでの時間を計時するタイマ手段を備え、前記制御部はタイマ手段の計時時間により停電時間を短時間・中時間・長時間のいずれかに判断し、停電復旧後の再運転を手動運転で行う時、停電前の手動運転の設定火力と前記判断した停電時間とにより所定時間を設定すると共に、停電により低下した室温を補正する補正運転を前記所定時間行った後に、設定火力を停電発生前の設定火力に設定した手動運転を開始するものである。
【００１１】
又本発明の請求項５に係る燃焼制御装置では、特にその構成を、請求項１に於いて、前記制御部は、停電復旧後の再運転を最小の火力で着火動作した後に中間の火力に変更してそのまま所定時間運転した後、不揮発性記憶手段に記憶させた各種情報により停電復旧後の再運転を行うものである。
【００１２】
【発明の実施の形態】
前記構成による請求項１記載の燃焼制御装置によれば、室温設定スイッチ８を操作して室温が設定した設定温度になるように燃焼部の運転を行う自動運転と、設定火力切替スイッチ７を操作して設定した設定火力一定で燃焼部の運転を行う手動運転とを行い、　停電が発生した時、停電発生前の運転状態や室温等各種情報を不揮発性記憶手段２０に記憶させて運転を停止し、停電が復旧した時、不揮発性記憶手段２０に記憶させた各種情報により再運転を行う燃焼制御装置に於いて、停電復旧後の再運転を所定の火力で着火動作してそのまま所定時間運転した後、不揮発性記憶手段２０に記憶させた各種情報により停電前の運転状態で停電復旧後の再運転を行うもので、停電前の運転が手動運転だった時、停電により低下した室温を補正する補正運転を行った後に、停電発生前の設定火力を設定して手動運転で停電復旧後の再運転を行うものである。
【００１３】
これにより停電復旧した後の再運転を開始する時、まず所定の火力で着火動作を行い、その火力で所定時間運転した後に停電前の運転状態で再運転を開始するので、燃焼部２の温度を安定させ、それにより停電中の間に冷えてしまった燃焼装置１の燃焼部２が停電復旧後に再運転した時、燃焼が不安定になることを防止できるものであり、又、停電復旧時の再運転を手動運転で開始する時、停電により低下した室温を補正する補正運転を行った後に、停電発生前の設定火力を設定して手動運転で停電復旧後の再運転を行うので、停電復旧後の再運転を手動運転で開始する時の室温が、停電発生前の室温より低くて寒く感じることがなく、又寒く感じることにより手で操作して設定火力を変更することを必要とせず、使い勝手がよいものである。
【００１４】
又前記構成による請求項２記載の燃焼制御装置によれば、請求項１に於いて、室温を検知する室温検知手段を備え、前記制御部は停電復旧後の再運転を手動運転で行う時、不揮発性記憶手段に記憶させた停電発生前の室温と再運転開始時の室温とを比較して、その温度差により停電で低下した室温を補正する補正運転の運転時間を設定して、補正運転を設定した所定時間行った後に、設定火力を停電発生前の設定火力に変更して手動運転を開始するものである。
【００１５】
これにより、停電発生時間における室温の低下度合いに合わせて、停電で低下した室温を補正する補正運転の所定時間を設定するので、補正運転で暖めすぎて、停電発生前の室温より高くなったり、補正運転で暖め足らずに停電発生前の室温より低くなってしまうのを防止しつつ、停電により低下した室温を短時間で停電発生前の状態にすることができ、使用者が再運転開始時に操作部３の設定火力切替スイッチ７を操作することなく、停電発生前の状態にすることができ、使い勝手がよいものである。
【００１６】
又前記構成による請求項３記載の燃焼制御装置によれば、請求項１に於いて、再運転開始時の室温が停電発生前の室温以上の時、設定火力を停電発生前の設定火力にして手動運転を行い、再運転開始時の室温が停電発生前の室温より低い時、停電発生前の室温を設定温度に設定して自動運転で停電により低下した室温を補正する補正運転を行い、前記補正運転で室温が停電発生前の室温に達した時、自動運転の補正運転から設定火力を停電発生前の設定火力にした手動運転を行うものである。
【００１７】
これにより、停電発生により現在の室温が停電発生前の室温より低くなっている時は、停電復旧後に暖めすぎて、室温が停電発生前の室温より高くならないようにしつつ停電発生前の室温まで短時間にすることができ、又使用者が再運転開始時に操作部３の設定火力切替スイッチ７を操作することなく、停電発生前の状態にすることができ、使い勝手をよくすることができるものである。
【００１８】
又停電が発生してもそれが極めて短時間で停電により室温が低下しなかった時は、停電復旧後、設定火力を停電発生前の設定火力にした手動運転をすぐ行うので、停電復旧後に暖めすぎることがなく、又使用者が再運転開始時に操作部３の設定火力切替スイッチ７を操作することなく、停電発生前の状態ですぐ再運転を行うことができるものである。
【００１９】
又前記構成による請求項４記載の燃焼制御装置によれば、請求項１に於いて、タイマ手段の計時時間により停電時間を短時間・中時間・長時間のいずれかに判断し、停電復旧後の再運転を手動運転で行う時、停電前の手動運転の設定火力と前記判断した停電時間とにより、停電で低下した室温を補正する補正運転の運転時間を設定して、補正運転を設定した所定時間行った後に、設定火力を停電発生前の設定火力に変更して手動運転を開始するものである。
【００２０】
これにより、停電復旧時の再運転を手動運転で開始する時、停電時間の長さと停電発生前の設定火力により、停電の間に低下した室温を停電発生前の室温付近まで上昇させる補正運転の時間を設定するので、停電復旧後の再運転を手動運転で開始する時の室温が、前記補正運転の不足により停電発生前の室温より低くて寒く感じたり、又逆に停電復旧後の再運転を手動運転で開始する時の室温が、前記補正運転の過剰により停電発生前の室温より高くて暑く感じることにより、手で操作して設定火力を変更することを防止でき、適正な前記補正運転をすることができるものである。
【００２１】
又前記構成による請求項５記載の燃焼制御装置によれば、請求項１に於いて、停電復旧後の再運転を最小の火力で着火動作した後に中間の火力に変更してそのまま所定時間運転した後、不揮発性記憶手段に記憶させた各種情報により停電復旧後の再運転を行うものである。
【００２２】
これにより、停電復旧した時の再運転を、最小火力の最弱火力で着火動作を行うことにより、停電中の間に燃焼装置の前面の近くに、何か物を置いてしまったり、子供がいたりしても、危険がないように再運転を開始することができると共に、停電復旧した時の再運転が例えば最大火力の最強火力で再運転を開始すると、使用者にとっては突然最強火力運転が開始されて驚いてしまうということを防止できるものである。
【００２３】
又停電復旧した後の再運転で、最小火力の最弱火力で着火動作を行った後、中間の火力である中火力にまで火力を変更して所定時間運転した後に再運転を開始することにより、燃焼部の温度を安定させ、それにより停電中の間に冷えてしまった燃焼装置の燃焼部が、停電復旧後に再運転した時燃焼が不安定になることを防止できるものである。
【００２４】
又停電復旧した後の再運転を開始した後、火力を変更するのに、中間の中火力から変更することになるので、火力を大きくする場合でも小さくする場合でも火力の変更する段階を少なくすることができ、火力を素早く短時間で変更する火力に変更することができるものである。
【００２５】
【実施例】
次に、この発明に係る燃焼制御装置を、図面に示された一実施例で説明する。１は燃焼装置で、該燃焼装置１内に設けた燃焼部２の燃焼運転を行うことにより暖房を行うものである。
【００２６】
３は操作部で、タクト式スイッチからなり燃焼装置１の電源をオン・オフする電源スイッチ４と、タクト式スイッチからなる運転スイッチ５と、設定温度に室温がなるように運転を行う自動運転又は室温に関係なく設定した火力一定で運転を行う手動運転のどちらかを設定する自動・手動運転切替スイッチ６と、手動運転の時の火力を設定する設定火力切替スイッチ７と、自動運転の時の希望する室温を設定する室温設定スイッチ８とを備え、各種スイッチを操作することにより操作信号を出力するものある。
【００２７】
９は表示部で、運転中や運転停止の表示、現在設定されている運転が自動運転又は手動運転かの表示、手動運転時における設定火力の表示、現在の室温の表示、自動運転時における設定温度の表示、異常発生時のエラー表示等入力される表示信号に基づいて表示を行うものである。
【００２８】
１０は気化部で、気化ヒータ１１により所定の温度まで加熱され、気化部温度検知手段１２により気化部１０が所定の温度に達したのを検知した時、燃料ポンプ１３より灯油等の燃料を供給されてそれを気化し、その気化した燃料を燃焼用ファン１４より供給される燃焼用空気と混合して、前記燃焼部２に供給するものである。
【００２９】
１５は着火手段で、前記燃焼部２に供給された混合気に対して着火動作を行うことにより燃焼を開始するもので、炎検知手段１６により燃焼状態や着火の有無を検知するものである。
【００３０】
１７は電源部で、外部商用電源１８と接続され、燃焼装置１内の各部に電源を供給するものである。
【００３１】
１９は停電判別部で、前記電源部１７と接続され、前記電源部１７に外部商用電源１８から電気が供給されているか検知して、電気が供給されていない状態や所定の電圧より低い電圧が供給されている状態が所定時間以上継続した時、停電が発生したものとして停電信号を出力し、停電信号を出力した後、所定の電圧が供給されている状態が所定時間以上継続した時、停電が復旧したものとして停電復旧信号を出力するものである。
【００３２】
２０はＥＥＰＲＯＭからなる不揮発性記憶手段で、手動運転時における設定火力情報、自動運転時における設定温度情報、異常発生時のエラー情報、室内の温度を検知して室温信号を出力する室温検知手段２１により検知された室温情報等、各種制御情報や運転情報が運転時に新しい情報が発生したり変更された時又は所定時間毎に、その都度その情報が入力されて記憶し直すもので、情報出力動作信号が入力されると、その時に記憶されている情報を記憶情報信号として出力するものである。
【００３３】
２２はタイマ手段で、タイマスタート信号が入力されると計時を開始し、タイマストップ信号が入力されると計時を停止すると共に、タイマーリセット信号が入力されない限り前回の計時を開始してから停止するまでの計時した時間を保持しており、タイマチェック信号が入力されると計時した時間が保持されていれば、その保持されている時間を計時信号として出力するものである。
【００３４】
２３はタイマ用電源で、停電等タイマ手段２２に電源が供給されない時に、タイマ手段２２が所定時間まで計時できるようにタイマ手段２２に電源を供給するものである。
【００３５】
２４は送風機で、燃焼部２で燃焼した燃焼ガスに室内空気を混合させて燃焼装置１から室内へ吹き出させるものである。
【００３６】
２５は制御部で、操作部３からの操作信号、気化部温度検知手段１２からの気化部温度信号、炎検知手段１６からの炎検知信号、停電判別部１９からの停電信号、タイマ手段２２からの計時信号等各信号が入力されると共に、表示部９への表示信号、気化ヒータ１１への通電信号、燃焼用ファン１４への動作信号、着火手段１５への着火信号、タイマ手段２２へのタイマスタート信号、タイマストップ信号、タイマーリセット信号、タイマチェック信号等各信号を出力して燃焼装置１の制御を行うものである。
【００３７】
次に本発明一実施例の通常の運転を説明する。
まず燃焼装置１の電源がオフ状態であれば、電源スイッチ４を押して電源オン状態にしてから運転スイッチ５を押し、すでに電源オン状態であれば、次に操作部３の運転スイッチ５を押す。
【００３８】
そして次に使用者が操作部３の自動・手動運転切替スイッチ６を操作して、自動運転・手動運転を切替えた場合、操作部３から制御部２５に自動・手動運転切替スイッチ６の操作信号が出力され、制御部２５はその操作信号にしたがって自動又は手動運転を開始し、更に自動・手動運転切替スイッチ６を自動運転に切り替えた後に室温設定スイッチ８を操作したり、自動・手動運転切替スイッチ６を手動運転に切り替えた後に設定火力切替スイッチ７を操作した場合、室温設定スイッチ８又は設定火力切替スイッチ７の操作信号が、操作部３から制御部２５に出力され、制御部２５はその操作信号にしたがって自動運転での設定温度又は手動運転での設定火力を設定して運転動作を開始するものである。
【００３９】
又電源オン状態で使用者が運転スイッチ５を押した後、何も操作しなければ、制御部２５は前回の運転情報を保持しているので、それに従って前回の運転が自動運転であれば前回の設定温度で自動運転を開始し、前回の運転が手動運転であれば前回の設定火力で手動運転を開始するものである。
【００４０】
又電源オフ状態がで使用者が運転スイッチ５を押した後、何も操作しなければ、前回の運転情報が不揮発性記憶手段２０に記憶されているので、制御部２５は前回の運転情報を不揮発性記憶手段２０から読み取って、その読み取った前回の運転情報に従って運転を開始するものである。
【００４１】
そして制御部２５は、気化ヒータ１１への通電信号を出力して気化部１０を加熱し、気化部１０が所定の温度に達したのを気化部温度検知手段１２が検知して、気化部温度検知手段１２から気化部温度検知信号が出力されると、制御部２５は燃料ポンプ１３にポンプ駆動信号を出力して気化部１０に灯油等の燃料を供給すると共に、燃焼用ファン１４にファン駆動信号を出力して気化した燃料と燃焼用空気とを混合して、前記燃焼部２に供給するものである。
【００４２】
そして制御部２５は、着火手段１５に着火信号を出力して着火動作を行わせて着火を行い、自動運転の場合は、室温検知手段２１により出力された室温信号による現在の室温と設定温度とを比較して、その温度差によって火力を設定して運転動作を開始し、室温と設定温度との温度差が小さくなるにつれ火力を小さくして、室温検知手段２１により出力された室温信号による現在の室温と設定温度が同じになるように火力を調節して自動運転を行い、又手動運転の場合は、設定された火力で手動運転を行うものである。
【００４３】
この時制御部２５は、新たに操作部３が操作されたり、何か異常が発生してエラー情報が発生する等新たな情報が発生した時、又は新たな情報が発生しなくとも所定時間毎に各種制御情報や運転情報を不揮発性記憶手段２０に出力して、不揮発性記憶手段２０に記憶されている情報を記憶し直しているものである。
【００４４】
次に本発明一実施例の停電が発生した後、停電復旧した時の再運転を説明する。
まず図２は本実施例を説明する燃焼制御装置の停電復旧運転制御のフローチャート図で、まず停電判別部１９が電源部１７に外部商用電源１８から電気が供給されているか検知し、停電が発生したことにより電源部１７に電気が供給されていない状態や、所定の電圧より低い電圧が供給されている状態が所定時間以上継続した時、停電判別部１９は停電が発生したものとして停電信号を出力し（Ｓ１）、停電状態となる。（Ｓ２）
【００４５】
そして停電が復旧し、電源部１７に外部商用電源１８から所定の電圧が供給されている状態が所定時間以上継続した時、停電判別部１９は停電が復旧したものとして停電復旧信号を出力し（Ｓ３）、停電復旧状態となる。（Ｓ４）
【００４６】
停電判別部１９からの停電復旧信号を入力した制御部２５は、不揮発性記憶手段２０に情報出力動作信号を出力し（Ｓ５）、その情報出力動作信号を入力した不揮発性記憶手段２０は、手動運転時における設定火力情報、自動運転時における設定温度情報、異常発生時のエラー情報、室内の温度を検知して室温信号を出力する室温検知手段２１により検知された室温情報等、記憶している停電発生前の各種制御情報や運転情報を、記憶情報信号として制御部２５に出力する。（Ｓ６）
【００４７】
そして制御部２５は、その入力された記憶情報信号により停電発生前の運転が、自動運転だったのか、それとも手動運転だったのかを判断し（Ｓ７）、その結果、停電発生前の運転が自動運転だったと判断すると、まず最小火力の最弱火力で着火動作を行い（Ｓ８）、最弱火力で着火したら（Ｓ９）、最弱火力より一段階火力の大きい弱火力に火力を変更し（Ｓ１０）、そのままの弱火力で所定時間運転した後（Ｓ１１）、弱火力より一段階火力の大きく、中間の火力である中火力に火力を変更し（Ｓ１２）、そのままの中火力で所定時間運転した後（Ｓ１３）、燃焼部２の温度が安定したものとして、次に自動運転における設定温度として、記憶情報信号の設定温度情報により停電発生前の設定温度を設定して（Ｓ１４）、室温検知手段２１が出力する室温信号による現在の室温と設定温度との温度差に基づいて、火力を自動調節して自動運転を開始し（Ｓ１５）、そして（Ｓ１）へと戻るものである。
【００４８】
このように停電復旧した時の再運転を、最小火力の最弱火力で着火動作を行うことにより、停電中の間に燃焼装置１の前面の近くに、何か物を置いてしまったり、子供がいたりしても、危険がないように再運転を開始することができると共に、停電復旧した時の再運転が例えば最大火力の強火力で再運転を開始すると、使用者にとっては突然強火力運転が開始されて驚いてしまうということを防止できるものである。
【００４９】
又停電復旧した後の再運転で自動運転を開始する時、まず最小火力の最弱火力で着火動作を行い、着火したら最弱火力より一段階火力の大きい弱火力に火力を変更して所定時間運転した後、更にその弱火力より一段階火力の大きく、中間の火力である中火力に火力を変更して所定時間運転した後に自動運転を開始することにより、燃焼部２の温度を安定させ、それにより停電中の間に冷えてしまった燃焼装置１の燃焼部２が、停電復旧後に再運転した時燃焼が不安定になることを防止できるものである。
【００５０】
又記憶情報信号の設定温度情報により停電発生前の設定温度を設定して自動運転を開始する時、現在の室温と停電発生前の設定温度との温度差に基づいて火力を変更するのに、中間の中火力から変更することになるので、火力を大きくする場合でも小さくする場合でも火力の変更する段階を少なくすることができ、火力を素早く短時間で変更する火力に変更することができるものである。
【００５１】
又停電復旧した時の再運転を行うためには、使用者が運転スイッチ５を操作しないと再運転を開始しないような設定の場合でも、使用者が運転スイッチ５を操作した途端、いきなり最大火力の強火力で再運転を開始することがないので危険がなく、又使用者が突然強火力運転が開始されたように感じて驚かしてしまうことを防止できるものである。
【００５２】
又（Ｓ７）で、制御部２５が不揮発性記憶手段２０からの記憶情報信号により停電発生前の運転が手動運転だったと判断した場合、図３のように、まず最小火力の最弱火力で着火動作を行い（Ｓ１６）、最弱火力で着火したら（Ｓ１７）、最弱火力より一段階火力の大きい弱火力に火力を変更し（Ｓ１８）、そのままの弱火力で所定時間運転した後（Ｓ１９）、弱火力より一段階火力の大きく、中間の火力である中火力に火力を変更し（Ｓ２０）、そのままの中火力で所定時間運転した後（Ｓ２１）、燃焼部２の温度が安定したものとして、次に制御部２５は、記憶情報信号の設定温度情報からの停電発生前の室温と、室温検知手段２１が出力する室温信号による現在の室温とを比較するものである。（Ｓ２２）
【００５３】
そして制御部２５は、停電発生前の室温より現在の室温の温度低下が所定温度、本実施例では２℃よりも小さい時は（Ｓ２３）、停電時間は短く、室温の低下も小さいと判断して（Ｓ２４）、その停電発生時間における室温の小さい低下を補うための補正運転の所定時間を短時間、本実施例では３分間を設定し（Ｓ２５）、次に停電発生時間における室温の小さい低下を素早く補うために、設定火力を最大火力である最強火力に変更して（Ｓ２６）、その最強火力で設定した所定時間、本実施例では３分間運転し（Ｓ２７）、その後停電発生前の設定火力に変更して（Ｓ２８）、手動運転を開始し（Ｓ２９）、そして（Ｓ１）へ戻るものである。
【００５４】
又（Ｓ２３）で停電発生前の室温より現在の室温の温度低下が所定温度、本実施例では２℃以上の時は、次に停電発生前の室温より現在の室温の温度低下が更に大きい所定温度、本実施例では５℃よりも小さいかどうか比較して（Ｓ３０）、温度低下が所定温度の５℃よりも小さい時は、停電時間は中ぐらいで室温の低下も中ぐらいと判断して（Ｓ３１）、その停電発生時間における室温の中ぐらいの低下を補うための補正運転の所定時間を中時間、本実施例では６分間を設定し（Ｓ３２）、次に停電発生時間における室温の中のぐらい低下を素早く補うために、設定火力を最大火力である最強火力に変更して（Ｓ２６）、その最強火力で設定した所定時間、本実施例では６分間運転し（Ｓ２７）、その後停電発生前の設定火力に変更して（Ｓ２８）、手動運転を開始し（Ｓ２９）、そして（Ｓ１）へ戻るものである。
【００５５】
又（Ｓ３０）で停電発生前の室温より現在の室温の温度低下が所定温度、本実施例では５℃以上の時は、停電時間は長く室温の低下が大きいと判断して（Ｓ３３）、その停電発生時間における室温の大きい低下を補うための補正運転の所定時間を長時間、本実施例では１０分間を設定し（Ｓ３４）、次に停電発生時間における室温の大きい低下を素早く補うために、設定火力を最大火力である最強火力に変更して（Ｓ２６）、その最強火力で設定した所定時間、本実施例では１０分間運転し（Ｓ２７）、その後停電発生前の設定火力に変更して（Ｓ２８）、手動運転を開始し（Ｓ２９）、そして（Ｓ１）へ戻るものである。
【００５６】
このように停電復旧した時の再運転を、最小火力の最弱火力で着火動作を行うことにより、停電中の間に燃焼装置１の前面の近くに、何か物を置いてしまったり、子供がいたりしても、危険がないように再運転を開始することができると共に、停電復旧した時の再運転が例えば最大火力の最強火力で再運転を開始すると、使用者にとっては突然最強火力運転が開始されて驚いてしまうということを防止できるものである。
【００５７】
又停電復旧した後の再運転で手動運転を開始する時、まず最小火力の最弱火力で着火動作を行い、着火したら最弱火力より一段階火力の大きい弱火力に火力を変更して所定時間運転した後、更にその弱火力より一段階火力の大きく、中間の火力である中火力に火力を変更して所定時間運転した後に手動運転を開始することにより、燃焼部２の温度を安定させ、それにより停電中の間に冷えてしまった燃焼装置１の燃焼部２が、停電復旧後に再運転した時燃焼が不安定になることを防止できるものである。
【００５８】
又記憶情報信号の設定温度情報により停電発生前の設定火力を設定して手動運転を開始する時、火力を変更するのに、中間の中火力から変更することになるので、火力を大きくする場合でも小さくする場合でも火力の変更する段階を少なくすることができ、火力を素早く短時間で変更する火力に変更することができるものである。
【００５９】
又停電復旧した時の再運転を行うためには、使用者が運転スイッチ５を操作しないと再運転を開始しないような設定の場合でも、使用者が運転スイッチ５を操作した途端、いきなり最大火力の最強火力で再運転を開始することがないので危険がなく、又使用者が突然最強火力運転が開始されたように感じて驚かしてしまうことを防止できるものである。
【００６０】
又停電復旧した時の再運転を、火力が設定されて一定となる手動運転で行う場合、停電復旧した時点での現在の室温と停電発生前の室温とを比較して、その温度差によって室温の温度低下の度合いを判断し、室温の低下が小さいと判断した時は、停電発生前の設定火力より大きい火力で短時間運転した後停電発生前の設定火力に変更し、室温の低下が中ぐらいと判断した時は、停電発生前の設定火力より大きい火力で中時間運転した後停電発生前の設定火力に変更し、又室温の低下が大きいと判断した時は、停電発生前の設定火力より大きい火力で長時間運転した後停電発生前の設定火力に変更するものである。
【００６１】
それにより、停電発生時間における室温の低下度合いに合わせて、停電発生前の設定火力より大きい火力での運転を所定時間行い、停電発生前の設定火力より大きい火力での運転で暖めすぎて、停電発生前の室温より高くなってしまうのを防止しつつ、停電により低下した室温を短時間で停電発生前の状態にすることができ、使用者が再運転開始時に操作部３の設定火力切替スイッチ７を操作することなく、停電発生前の状態にすることができ、使い勝手がよいものである。
【００６２】
次に、不揮発性記憶手段２０からの記憶情報信号により停電発生前の運転が手動運転だった場合のその他の一実施例を説明する。
まず制御部２５は、図２の（Ｓ７）で、不揮発性記憶手段２０からの記憶情報信号により停電発生前の運転が手動運転だった場合、図４に示すように、まず最小火力の最弱火力で着火動作を行い（Ｓ３５）、最弱火力で着火したら（Ｓ３６）、最弱火力より一段階火力の大きい弱火力に火力を変更し（Ｓ３７）、そのままの弱火力で所定時間運転した後（Ｓ３８）、弱火力より一段階火力の大きく、中間の火力である中火力に火力を変更し（Ｓ３９）、そのままの中火力で所定時間運転した後（Ｓ４０）、燃焼部２の温度が安定したものとして、次に制御部２５は、記憶情報信号の設定温度情報からの停電発生前の室温と、室温検知手段２１が出力する室温信号による現在の室温とを比較するものである。（Ｓ４１）
【００６３】
そして制御部２５は、現在の室温が停電発生前の室温以上の時は（Ｓ４２）、停電時間が極めて短く、室温の低下はなかったと判断して、設定火力を停電発生前の設定火力に変更して（Ｓ４３）、手動運転を開始し（Ｓ４４）、そして（Ｓ１）へ戻るものである。
【００６４】
又（Ｓ４２）で、停電発生前の室温より現在の室温が小さい時、停電発生により室温が低下したと判断して、停電により低下した室温を補正する補正運転として、停電発生前の室温を自動運転における設定温度にして自動運転を開始し（Ｓ４５）、そして現在の室温が停電発生前の室温以上になったら（Ｓ４６）、手動運転に切り替えて（Ｓ４７）、設定火力を停電発生前の設定火力に設定して（Ｓ４８）、手動運転を開始し（Ｓ４４）、そして（Ｓ１）へ戻るものである。
【００６５】
このように本実施例では、停電復旧した時の再運転を、火力が設定されて一定となる手動運転で行う場合、停電復旧した時点での現在の室温と停電発生前の室温とを比較して、現在の室温が停電発生前の室温より小さい時は、停電発生前の室温を設定温度に設定した自動運転を行い、その状態で現在の室温が停電発生前の室温以上になった時、自動運転から設定火力を停電発生前の設定火力にした手動運転に切り替えてその手動運転を継続し、現在の室温が停電発生前の室温以上の時は、設定火力を停電発生前の設定火力とした手動運転を開始してそれを継続するものである。
【００６６】
それにより、停電発生により現在の室温が停電発生前の室温より低くなっていれば、停電復旧後に暖めすぎて、室温が停電発生前の室温より高くならないようにしつつ停電発生前の室温まで短時間にすることができ、使用者が再運転開始時に操作部３の設定火力切替スイッチ７を操作することなく、停電発生前の状態にすることができ、使い勝手がよいものである。
【００６７】
又停電が発生してもそれが極めて短時間で停電により室温が低下しなかった時は、停電復旧後、設定火力を停電発生前の設定火力にした手動運転をすぐ行うので、停電復旧後に暖めすぎることがなく、又使用者が再運転開始時に操作部３の設定火力切替スイッチ７を操作することなく、停電発生前の状態で運転を行うことができ、使い勝手がよいものである。
【００６８】
次に、本発明のその他の一実施例を説明する。
図５に示すように、まず制御部２５は、停電判別部１９から停電信号が出力されたか確認し（Ｓ４９）、停電判別部１９から停電信号が出力されたと同時に、制御部２５からタイマ手段２２にタイマスタート信号が出力され、（Ｓ５０）、それによりタイマ手段２２が計時を開始して（Ｓ５１）、停電状態となる。（Ｓ５２）
【００６９】
停電状態では、運転が停止され、外部商用電源１８から電源部１７に電気が供給されていない状態であるが、タイマ手段２２には停電時に電源を供給するタイマ用電源２３が接続されているので、停電発生時に計時を行うことができるものである。
【００７０】
そして次に制御部２５は、停電判別部１９から停電復旧信号が出力されたか確認し（Ｓ５３）、停電判別部１９から停電復旧信号が出力されたと同時に、制御部２５からタイマ手段２２にタイマストップ信号が出力され、（Ｓ５４）、それによりタイマ手段２２が計時を停止して（Ｓ５５）、停電復旧状態となる。（Ｓ５６）
【００７１】
そして停電判別部１９からの停電復旧信号を入力した制御部２５は、不揮発性記憶手段２０に情報出力動作信号を出力し（Ｓ５７）、その情報出力動作信号を入力した不揮発性記憶手段２０は、手動運転時における設定火力情報、自動運転時における設定温度情報、異常発生時のエラー情報、室内の温度を検知して室温信号を出力する室温検知手段２１により検知された室温情報等、記憶している停電発生前の各種制御情報や運転情報を、記憶情報信号として制御部２５に出力する。（Ｓ５８）
【００７２】
そして制御部２５は、その入力された記憶情報信号により停電発生前の運転が、自動運転だったのか、それとも手動運転だったのかを判断し（Ｓ５９）、その結果、停電発生前の運転が自動運転だったと判断すると、まず最小火力の最弱火力で着火動作を行い（Ｓ６０）、最弱火力で着火したら（Ｓ６１）、最弱火力より一段階火力の大きい弱火力に火力を変更し（Ｓ６２）、そのままの弱火力で所定時間運転した後（Ｓ６３）、弱火力より一段階火力の大きく、中間の火力である中火力に火力を変更し（Ｓ６４）、そのままの中火力で所定時間運転した後（Ｓ６５）、燃焼部２の温度が安定したものとして、次に自動運転における設定温度として、記憶情報信号の設定温度情報により停電発生前の設定温度を設定して（Ｓ６６）、室温検知手段２１が出力する室温信号による現在の室温と設定温度との温度差に基づいて、火力を自動調節して自動運転を開始し（Ｓ６７）、そして（Ｓ１）へと戻るものである。
【００７３】
このように停電復旧した時の再運転を、最小火力の最弱火力で着火動作を行うことにより、停電中の間に燃焼装置１の前面の近くに、何か物を置いてしまったり、子供がいたりしても、危険がないように再運転を開始することができると共に、停電復旧した時の再運転が例えば最大火力の最強火力で再運転を開始すると、使用者にとっては突然最強火力運転が開始されて驚いてしまうということを防止できるものである。
【００７４】
又停電復旧した後の再運転で自動運転を開始する時、まず最小火力の最弱火力で着火動作を行い、着火したら最弱火力より一段階火力の大きい弱火力に火力を変更して所定時間運転した後、更にその弱火力より一段階火力の大きく、中間の火力である中火力に火力を変更して所定時間運転した後に自動運転を開始することにより、燃焼部２の温度を安定させ、それにより停電中の間に冷えてしまった燃焼装置１の燃焼部２が、停電復旧後に再運転した時燃焼が不安定になることを防止できるものである。
【００７５】
又記憶情報信号の設定温度情報により停電発生前の設定温度を設定して自動運転を開始する時、現在の室温と停電発生前の設定温度との温度差に基づいて火力を変更するのに、中間の中火力から変更することになるので、火力を大きくする場合でも小さくする場合でも火力の変更する段階を少なくすることができ、火力を素早く短時間で変更する火力に変更することができるものである。
【００７６】
又停電復旧した時の再運転を行うためには、使用者が運転スイッチ５を操作しないと再運転を開始しないような設定の場合でも、使用者が運転スイッチ５を操作した途端、いきなり最大火力の強火力で再運転を開始することがないので危険がなく、又使用者が突然強火力運転が開始されたように感じて驚かしてしまうことを防止できるものである。
【００７７】
又（Ｓ５９）で、制御部２５が不揮発性記憶手段２０からの記憶情報信号により停電発生前の運転が手動運転だったと判断した場合、図６のように、まず制御部２５は、タイマ手段２２にタイマチェック信号を出力し（Ｓ６８）、それによりタイマ手段２２は、停電が発生してタイマスタート信号が入力されて計時を開始してから停電が復旧してタイマストップ信号が入力されて計時を停止するまでの計時時間を、計時信号として出力する。（Ｓ６９）
【００７８】
そして次に制御部２５は、最小火力の最弱火力で着火動作を行い（Ｓ７０）、最弱火力で着火したら（Ｓ７１）、最弱火力より一段階火力の大きい弱火力に火力を変更し（Ｓ７２）、そのままの弱火力で所定時間運転した後（Ｓ７３）、弱火力より一段階火力の大きく、中間の火力である中火力に火力を変更し（Ｓ７４）、そのままの中火力で所定時間運転した後（Ｓ７５）、燃焼部２の温度が安定したものとして、次に制御部２５は、記憶情報信号の設定温度情報により、停電発生前の設定火力が最大火力の最強火力だったか確認する。（Ｓ７６）
【００７９】
そして停電発生前の設定火力が最大火力の最強火力だった時は、停電発生前の室内の熱負荷がかなり大きい、又は温度がかなり低いと使用者が感じていた状態であったものとして、設定火力を最大火力の最強火力に設定して（Ｓ７７）、手動運転を開始し（Ｓ７８）、そして（Ｓ４９）へ戻るものである。
【００８０】
又制御部２５は、（Ｓ７６）で停電発生前の設定火力が最大火力の最強火力ではなかった時は、次にタイマ手段２２より入力された計時信号による計時時間が短時間、本実施例では５分未満であるか比較し（Ｓ７９）、計時時間が５分未満であれば、停電時間は短く、停電による室温の低下も小さいと判断する。（Ｓ８０）
【００８１】
そして次に制御部２５は、記憶情報信号の設定火力情報により、停電発生前の設定火力が最強火力より１段階火力の小さい強火力、強火力より１段階火力の小さい中火力、中火力より１段階火力の小さい弱火力、弱火力より１段階火力の小さく最小火力である最弱火力のいずれの火力であったか判断し、強火力であったなら、停電発生前の室内の熱負荷が大きい、又は温度が低いと使用者が感じていた状態であったものとして所定時間Ｔ＝２分、中火力であったなら、停電発生前の室内の熱負荷が中くらい、又は温度が低めと使用者が感じていた状態であったものとして所定時間Ｔ＝１分３０秒、弱火力であったなら、停電発生前の室内の熱負荷が小さい、又は温度がわずかに低いと使用者が感じていた状態であったものとして所定時間Ｔ＝１分、最弱火力であったなら、停電発生前の室内の熱負荷がかなり小さい、又は温度がちょうどいいと使用者が感じていた状態であったものとして所定時間Ｔ＝３０秒を設定する。（Ｓ８１）
【００８２】
そして次に制御部２５は、設定火力を最大火力の最強火力に設定し（Ｓ８２）、停電により低下した室温を補正する補正運転として、最強火力のまま運転する状態が（Ｓ８１）で設定した所定時間Ｔ経過した時（Ｓ８３）、設定火力を停電発生前の設定火力に変更して（Ｓ８４）、手動運転を開始し（Ｓ７８）、そして（Ｓ４９）へ戻るものである。
【００８３】
又制御部２５は、（Ｓ７９）でタイマ手段２２より入力された計時信号による計時時間が短時間、本実施例では５分未満ではなかった時、次にタイマ手段２２より入力された計時信号による計時時間が中時間、本実施例では１０分未満であるか比較し（Ｓ８５）、計時時間が１０分未満であれば、停電時間は中ぐらいで室温の低下も中ぐらいと判断する。（Ｓ８６）
【００８４】
そして次に制御部２５は、記憶情報信号の設定火力情報により、停電発生前の設定火力が強火力、中火力、弱火力、最弱火力のいずれの火力であったか判断し、強火力であったなら、停電発生前の室内の熱負荷が大きい、又は温度が低いと使用者が感じていた状態であったものとして所定時間Ｔ＝５分、中火力であったなら、停電発生前の室内の熱負荷が中くらい、又は温度が低めと使用者が感じていた状態であったものとして所定時間Ｔ＝３分、弱火力であったなら、停電発生前の室内の熱負荷が小さい、又は温度がわずかに低いと使用者が感じていた状態であったものとして所定時間Ｔ＝２分、最弱火力であったなら、停電発生前の室内の熱負荷がかなり小さい、又は温度がちょうどいいと使用者が感じていた状態であったものとして所定時間Ｔ＝１分を設定する。（Ｓ８７）
【００８５】
そして次に制御部２５は、設定火力を最大火力の最強火力に設定し（Ｓ８２）、停電により低下した室温を補正する補正運転として、最強火力のまま運転する状態が（Ｓ８７）で設定した所定時間Ｔ経過した時（Ｓ８３）、設定火力を停電発生前の設定火力に変更して（Ｓ８４）、手動運転を開始し（Ｓ７８）、そして（Ｓ４９）へ戻るものである。
【００８６】
又制御部２５は、（Ｓ８５）でタイマ手段２２より入力された計時信号による計時時間が中時間、本実施例では１０分未満ではなかった時、停電時間は長く、室温の低下も大きいと判断する。（Ｓ８８）
【００８７】
そして次に制御部２５は、記憶情報信号の設定火力情報により、停電発生前の設定火力が強火力、中火力、弱火力、最弱火力のいずれの火力であったか判断し、強火力であったなら、停電発生前の室内の熱負荷が大きい、又は温度が低いと使用者が感じていた状態であったものとして所定時間Ｔ＝１０分、中火力であったなら、停電発生前の室内の熱負荷が中くらい、又は温度が低めと使用者が感じていた状態であったものとして所定時間Ｔ＝６分、弱火力であったなら、停電発生前の室内の熱負荷が小さい、又は温度がわずかに低いと使用者が感じていた状態であったものとして所定時間Ｔ＝４分、最弱火力であったなら、停電発生前の室内の熱負荷がかなり小さい、又は温度がちょうどいいと使用者が感じていた状態であったものとして所定時間Ｔ＝２分を設定する。（Ｓ８９）
【００８８】
そして次に制御部２５は、設定火力を最大火力の最強火力に設定し（Ｓ８２）、停電により低下した室温を補正する補正運転として、最強火力のまま運転する状態が（Ｓ８９）で設定した所定時間Ｔ経過した時（Ｓ８３）、設定火力を停電発生前の設定火力に変更して（Ｓ８４）、手動運転を開始し（Ｓ７８）、そして（Ｓ４９）へ戻るものである。
【００８９】
このように本実施例では、停電復旧時の再運転を手動運転で開始する時、停電時間の長さと停電発生前の設定火力により、停電の間に低下した室温を停電発生前の室温付近まで上昇させる補正運転の時間を設定するので、適正な前記補正運転をすることができ、それにより停電復旧後の再運転を手動運転で開始する時の室温が、前記補正運転の不足により停電発生前の室温より低くて寒く感じたり、又逆に停電復旧後の再運転を手動運転で開始する時の室温が、前記補正運転の過剰により停電発生前の室温より高くて暑く感じることにより、手で操作して設定火力を変更することを防止できるものである。
【００９０】
【発明の効果】
以上のように、請求項１の燃焼制御装置によれば、室温設定スイッチを操作して室温が設定した設定温度になるように燃焼部の運転を行う自動運転と、設定火力切替スイッチを操作して設定した設定火力一定で燃焼部の運転を行う手動運転とを行い、停電が発生した時、停電発生前の運転状態や室温等各種情報を不揮発性記憶手段に記憶させて運転を停止し、停電が復旧した時、不揮発性記憶手段に記憶させた各種情報により再運転を行う燃焼制御装置に於いて、停電復旧後の再運転を所定の火力で着火動作してそのまま所定時間運転した後、不揮発性記憶手段に記憶させた各種情報により停電前の運転状態で停電復旧後の再運転を行うもので、停電前の運転が手動運転だった時、停電により低下した室温を補正する補正運転を行った後に、停電発生前の設定火力を設定して手動運転で停電復旧後の再運転を行うものである。
【００９１】
これにより停電復旧後の再運転を所定の火力で着火動作してそのまま所定時間運転することにより、燃焼部２の温度を安定させ、それにより停電中の間に冷えてしまった燃焼装置１の燃焼部２が、停電復旧後に再運転した時燃焼が不安定になることを防止できるものである。
【００９２】
又、停電復旧時の再運転を手動運転で開始する時、停電により低下した室温を補正する補正運転を行った後に、停電発生前の設定火力を設定して手動運転で停電復旧後の再運転を行うので、停電復旧後の再運転を手動運転で開始する時の室温が、停電発生前の室温より低くて寒く感じることがなく、又寒く感じることにより手で操作して設定火力を変更することを必要とせず、使い勝手がよいものである。
【００９３】
又前記構成による請求項２記載の燃焼制御装置によれば、請求項１に於いて、室温を検知する室温検知手段を備え、前記制御部は手動運転で停電復旧後の再運転を行う時、不揮発性記憶手段に記憶させた停電発生前の室温と再運転開始時の室温とを比較して、その温度差を大・中・小のいずれかに判断し、その温度差を小と判断した時所定時間を短時間に設定し、温度差を中と判断した時所定時間を中時間に設定し、温度差を大と判断した時所定時間を長時間に設定すると共に、停電により低下した室温を補正する補正運転を前記所定時間行った後に、設定火力を停電発生前の設定火力に変更して手動運転を開始するものである。
【００９４】
これにより、停電発生時間における室温の低下度合いに合わせて、停電発生前の設定火力より大きい火力での補正運転を所定時間行い、停電発生前の設定火力より大きい火力での運転で暖めすぎて、停電発生前の室温より高くなってしまうのを防止しつつ、停電により低下した室温を短時間で停電発生前の状態にすることができ、使用者が再運転開始時に操作部３の設定火力切替スイッチ７を操作することなく、停電発生前の状態にすることができ、使い勝手がよいものである。
【００９５】
又前記構成による請求項３記載の燃焼制御装置によれば、請求項１に於いて、再運転開始時の室温が停電発生前の室温以上の時、停電発生前の設定火力で手動運転を行い、再運転開始時の室温が停電発生前の室温より低い時、停電発生前の室温を設定温度に設定した自動運転により、停電で低下した室温を補正する補正運転を行い、その補正運転で室温が停電発生前の室温に達した時、設定火力を停電発生前の設定火力にした手動運転を行うものである。
【００９６】
これにより、停電発生により現在の室温が停電発生前の室温より低くなっている時は、停電復旧後に補正運転で暖めすぎて、室温が停電発生前の室温より高くならないようにしつつ停電発生前の室温まで短時間にすることができ、又使用者が再運転開始時に操作部３の設定火力切替スイッチ７を操作することなく、停電発生前の状態にすることができ、使い勝手をよくすることができるものである。
【００９７】
又停電が発生してもそれが極めて短時間で停電により室温が低下しなかった時は、停電復旧後、設定火力を停電発生前の設定火力にした手動運転をすぐ行うので、停電復旧後に暖めすぎることがなく、又使用者が再運転開始時に操作部３の設定火力切替スイッチ７を操作することなく、停電発生前の状態ですぐ再運転を行うことができるものである。
【００９８】
又前記構成による請求項４記載の燃焼制御装置によれば、請求項１に於いて、停電復旧後の再運転を手動運転で行う時、タイマ手段の計時時間により停電時間を短時間・中時間・長時間のいずれかに判断すると共に、その判断した停電時間と停電前の手動運転の設定火力とにより、停電で低下した室温を補正する補正運転の運転時間を設定して、補正運転を設定した運転時間行った後に、停電発生前の設定火力に変更して手動運転を開始するものである。
【００９９】
これにより、停電復旧時の再運転を手動運転で開始する時、停電時間の長さと停電発生前の設定火力により、停電の間に低下した室温を停電発生前の室温付近まで上昇させる補正運転の時間を設定するので、停電復旧後の再運転を手動運転で開始する時の室温が、前記補正運転の不足により停電発生前の室温より低くて寒く感じたり、又逆に停電復旧後の再運転を手動運転で開始する時の室温が、前記補正運転の過剰により停電発生前の室温より高くて暑く感じることにより、手で操作して設定火力を変更することを防止でき、適正な前記補正運転をすることができるものである。
【０１００】
又前記構成による請求項５記載の燃焼制御装置によれば、請求項１に於いて、停電復旧後の再運転を最小の火力で着火動作した後に中間の火力に変更してそのまま所定時間運転した後、不揮発性記憶手段に記憶させた各種情報により停電復旧後の再運転を行うものである。
【０１０１】
これにより、停電復旧した時の再運転を、最小火力の最弱火力で着火動作を行うことにより、停電中の間に燃焼装置の前面の近くに、何か物を置いてしまったり、子供がいたりしても、危険がないように再運転を開始することができると共に、停電復旧した時の再運転が例えば最大火力の最強火力で再運転を開始すると、使用者にとっては突然最強火力運転が開始されて驚いてしまうということを防止できるものである。
【０１０２】
又停電復旧した後の再運転で、最小火力の最弱火力で着火動作を行った後、中間の火力である中火力にまで火力を変更して所定時間運転した後に再運転を開始することにより、燃焼部の温度を安定させ、それにより停電中の間に冷えてしまった燃焼装置の燃焼部が、停電復旧後に再運転した時燃焼が不安定になることを防止できるものである。
【０１０３】
又停電復旧した後の再運転を開始した後、火力を変更するのに、中間の中火力から変更することになるので、火力を大きくする場合でも小さくする場合でも火力の変更する段階を少なくすることができ、火力を素早く短時間で変更する火力に変更することができるものである。
【図面の簡単な説明】
【図１】本発明一実施形態を付した燃焼制御装置の構成図。
【図２】同停電発生から停電復旧後の再運転を自動運転で行う場合のフローチャート図。
【図３】同停電発生から停電復旧後の再運転を手動運転で行う場合のフローチャート図。
【図４】同停電発生から停電復旧後の再運転を手動運転で行う場合のその他の実施例のフローチャート図。
【図５】同停電発生から停電復旧後の再運転を自動運転で行う場合のその他の実施例のフローチャート図。
【図６】同停電発生から停電復旧後の再運転を手動運転で行う場合のその他の実施例のフローチャート図。
【符号の説明】
２　燃焼部
６　自動・手動運転切替スイッチ
７　設定火力切替スイッチ
８　室温設定スイッチ
１９　停電判別部
２０　不揮発性記憶手段
２５　制御部
【図１】
2004020024.tif 000003
【図２】
2004020024.tif 000004
【図３】
2004020024.tif 000005
【図４】
2004020024.tif 000006
【図５】
2004020024.tif 000007
【図６】
2004020024.tif 000008